(57)【要約】  デジタル通信デバイスに実装されたメディアファイル管理アプリケーションである。このメディアファイル管理アプリケーションは，ユーザにメディアファイルの象徴を表示するためのさまざまな方法を提供し，それによってユーザは容易にメディアファイルを探したり，メディアファイルのコンテンツを視聴したりすることができる。メディアファイルの象徴を表示するいくつかの代替手段を提供することによって，このメディアファイル管理アプリケーションは，典型的には表示範囲に制限のある小型のディスプレイを備える移動体デバイスに非常によく適応することができる。
2007524168.tif 000002
【特許請求の範囲】
【請求項１】
デジタルデバイス上のメディアファイルにアクセスするためのアプリケーションであって該アプリケーションは，計算機可読記憶媒体であって該媒体に計算機可読プログラム命令が組み込まれた計算機可読記憶媒体を備え，前記計算機可読プログラム命令は，
少なくとも一つのデジタルメディアファイルにアクセスすることを可能にし，かつ前記の少なくとも一つのデジタルメディアファイルと期間とを関連付けるメディア一覧を生成するための第1の命令と，
前記メディア一覧内の予め定義された位置に近い期間と関連付けられたメディアファイルの象徴を，拡大したメディアファイルの象徴として前記メディア一覧の中に生成するための第２の命令とを有するアプリケーション。
【請求項２】
前記第２の命令を，前記メディア一覧の垂直中心線に近い期間と関連付けられたメディアファイルの象徴を，拡大したメディアファイルの象徴として前記メディア一覧の中に生成するように更に定義する請求項１に記載のアプリケーション。
【請求項３】
前記第２の命令を，メディアファイルの象徴を，前記の予め定義された位置から関連付けられた期間が離れるほど，前記のメディアファイルの象徴のサイズが次第に減少するように前記メディア一覧の中に生成するように更に定義する請求項１に記載のアプリケーション。
【請求項４】
前記メディア一覧から選択されたメディアファイルの象徴を，ポップアップ形式で表示するための第３の命令を更に有する請求項１に記載のアプリケーション。
【請求項５】
前記第３の命令を，前記メディア一覧から選択されたメディアファイルの象徴をポップアップ形式で表示し，該ポップアップ形式が前記メディア一覧中のすべての他のメディアファイルの象徴のサイズより大きく表示するように更に定義する請求項４に記載のアプリケーション。
【請求項６】
前記第３の命令を，前記メディア一覧から選択されたメディアファイルの象徴をポップアップ形式で表示し，前記の選択されたメディアファイルの象徴を，前記の予め定義された位置に近い前記の期間と関連付けられたメディアファイルの象徴から選ぶように更に定義する請求項４に記載のアプリケーション。
【請求項７】
前記第２の命令が更に，前記メディア一覧内の予め定義された位置に近く，かつ前記の予め定義された位置の中心点に近い期間と関連付けられたメディアファイルの象徴を，前記の予め定義された位置に近い前記期間内の他のメディアファイルの象徴と比べて拡大したメディアファイルの象徴として，前記メディア一覧の中に生成する請求項１に記載のアプリケーション。
【請求項８】
前記第２の命令が更に，前記垂直中心線に近く，かつ前記期間内の中心点に近い期間と関連付けられたメディアファイルの象徴を，前記の予め定義された位置に近い前記期間内の他のメディアファイルの象徴と比べて拡大したメディアファイルの象徴として，前記メディア一覧の中に生成する請求項２に記載のアプリケーション。
【請求項９】
前記第２の命令が更に，メディアファイルの象徴を，前記中心点からメディアファイルの象徴が離れるほど，前記の垂直中心線に近い期間と関連付けられたメディアファイルの象徴のサイズが減少するように前記メディア一覧の中に生成する請求項７に記載のアプリケーション。
【請求項１０】
デジタルデバイス上のメディアファイルにアクセスするためのアプリケーションであって該アプリケーションは，計算機可読記憶媒体であって該媒体に計算機可読プログラム命令が組み込まれた計算機可読記憶媒体を備え，前記計算機可読プログラム命令は，
メディアファイルの象徴によって少なくとも一つのデジタルメディアファイルにアクセスすることを可能にするメディア一覧を生成するための第1の命令と，
前記のメディアファイルの象徴に重畳された属性アイコンを生成するための第２の命令とを有するアプリケーション。
【請求項１１】
前記第1の命令を，メディアファイルの象徴によって少なくとも一つのデジタルメディアファイルへのアクセスを可能にし，かつ前記のメディアファイルの象徴と期間とを関連付けるメディア一覧を生成するように更に定義する請求項１０に記載のアプリケーション。
【請求項１２】
前記第２の命令を，前記のメディアファイルの象徴の上に重畳された属性アイコンを生成し，前記属性アイコンが表現されている前記メディアファイルと関連付けられたメタデータ情報を表現するように更に定義する請求項１０に記載のアプリケーション。
【請求項１３】
前記第２の命令を，前記のメディアファイルの象徴の上に重畳された属性アイコンを生成し，前記属性アイコンが表現されている前記メディアファイルと関連付けられたメタデータ情報を表現し，かつ前記メタデータ情報を，メディアファイルのタイプと，前記メディアファイルの通信状態と，前記メディアファイルの内容と，前記メディアファイルのタイムスタンプと，前記メディアファイルのアクセス状態とからなるグループから選択するように更に定義する請求項１０に記載のアプリケーション。
【請求項１４】
デジタルデバイスにおけるデジタルメディア管理のための方法であって該方法が，
デジタルメディアファイルであって該デジタルメディアファイルと関連付けられたメタデータを有するデジタルメディアファイルを受信するステップと，
前記メタデータに基づいて，前記デジタルメディアファイルと期間とを関連付けるメディアダイアリアプリケーションに前記ファイルを送信するステップと，
前記期間に関連して前記のデジタルメディアファイルのメディアファイルの象徴を表示するメディア一覧を介して前記デジタルメディアファイルにユーザがアクセスでき，前記のメディアファイルの象徴は，前記メディア一覧内の予め定義された位置に対する前記メディアファイルと関連付けられた前記期間の近さに従ってサイズを変えるステップとを含む方法。
【請求項１５】
前記デジタルメディアファイルにユーザがアクセスできるようにする前記のステップを，前記メディア一覧内の垂直中心線に対する前記メディアファイルと関連付けられた前記期間の近さに従って，前記のメディアファイルの象徴がサイズを変えるように更に定義する請求項１４に記載の方法。
【請求項１６】
前記デジタルメディアファイルにユーザがアクセスできるようにする前記のステップを，前記メディアファイルが，前記メディア一覧の前記の予め定義された位置に対して近い期間と関連付けられているとき，前記のメディアファイルの象徴を拡大するように更に定義する請求項１４に記載の方法。
【請求項１７】
前記デジタルメディアファイルにユーザがアクセスできるようにする前記のステップを，前記メディアファイルに関連付けられた前記期間が，前記メディア一覧内の前記の予め定義された位置から離れるほど，前記のメディアファイルの象徴のサイズを減少させるように更に定義する請求項１４に記載の方法。
【請求項１８】
前記のメディアファイルの象徴をユーザが選択的にアクセスできるようにし，前記のメディアファイルの象徴を選択するとポップアップ表示するステップを更に有する請求項１４に記載の方法。
【請求項１９】
前記デジタルメディアファイルにユーザがアクセスできるようにする前記のステップを，前記メディア一覧の前記期間内の予め定義された位置に対する前記のメディアファイルの象徴の近さに従って，前記のメディアファイルの象徴がサイズを変えるように更に定義する請求項１４に記載の方法。
【請求項２０】
前記デジタルメディアファイルにユーザがアクセスできるようにする前記のステップを，前記メディア一覧内の垂直中心線に近い期間内の中心点に対する前記のメディアファイルの象徴の近さに従って，前記のメディアファイルの象徴がサイズを変えるように更に定義する請求項１９に記載の方法。
【請求項２１】
デジタルデバイスであって，
メディアファイルにアクセスするための計算機可読プログラム命令を実行する処理ユニットであって，前記計算機可読プログラム命令が，
少なくとも一つのデジタルメディアファイルにアクセスすることを可能にし，かつ前記の少なくとも一つのデジタルメディアファイルと期間とを関連付けるメディア一覧を生成するための第1の命令と，
前記メディア一覧内の予め定義された位置に近い期間と関連付けられたメディアファイルの象徴を，拡大したメディアファイルの象徴として前記メディア一覧の中に生成するための第２の命令とを有する処理ユニットと，
前記処理ユニットと通信し，前記メディア一覧を提示するディスプレイとを備えるデジタルデバイス。
【請求項２２】
前記第２の命令を，前記メディア一覧の垂直中心線に近い期間と関連付けられたメディアファイルの象徴を，拡大したメディアファイルの象徴として前記メディア一覧の中に生成するように更に定義する請求項２１に記載のデジタルデバイス。
【請求項２３】
前記第２の命令を，メディアファイルの象徴を，前記の予め定義された位置から関連付けられた期間が離れるほど，前記のメディアファイルの象徴のサイズが次第に減少するように前記メディア一覧の中に生成するように更に定義する請求項２１に記載のデジタルデバイス。
【請求項２４】
前記メディア一覧から選択されたメディアファイルの象徴を，ポップアップ形式で表示するための第３の命令を更に有する請求項２１に記載のデジタルデバイス。
【請求項２５】
前記第２の命令が更に，前記の予め定義された位置に近く，かつ前記期間内の予め定義された位置に近い期間と関連付けられたメディアファイルの象徴を，前記の予め定義された位置に近い前記期間内の他のメディアファイルの象徴と比べて拡大したメディアファイルの象徴として，前記メディア一覧の中に更に生成する請求項２１に記載のデジタルデバイス。
【発明の詳細な説明】
【技術分野】
【０００１】
本発明は，メディアファイル管理に関し，より特定すればデジタルデバイスに実装されたメディアファイル管理アプリケーションにおけるメディアアイテムの表現のためのアプリケーションと，方法と，デバイスとに関する。
【背景技術】
【０００２】
デジタル通信の急速な発展によって，すべての種類のデジタルメディアアイテムを無線及び有線のさまざまな種類の通信デバイス間で伝送することが可能になっている。例えば，セルラ電話機，すなわち携帯電話機は，もはや電話音声通信に限らず，デジタルネットワーキング（すなわち，インターネット通信，テキスト通信，及びその類似物）のような他のデジタル通信手段を含むことができる。更に，ますます多くのセルラ電話機並びにポータブルコンピュータ，パーソナルデジタルアシスタント（ＰＤＡ）及びその類似物のような他の移動体無線通信デバイスが，デジタルカメラ，デジタルオーディオレコーダ，デジタルビデオレコーダ及びその類似物のような，他のデジタルメディアキャプチャ手段又は制作手段と統合されつつある。
技術進歩によって，デジタルカメラ，デジタルビデオレコーダ，デジタルオーディオデバイス，及びその類似物のような他のデジタルデバイスが，デジタル通信手段を装備することが可能になっている。ますます多くのデジタルデバイスが，お互いにデジタル通信を行う能力を備えているので，これらのデバイス間で通信されるデジタルメディアの量は，大変な割合で増加するであろう。
【０００３】
ますます多くのデジタルデバイスがデジタル通信を行う能力を備えている徴候に加えて，これらのデバイスのデジタル記憶容量は絶えず増加している。近い将来，大部分の移動体デジタル通信端末がおそらくギガバイト又はそれ以上の範囲の記憶容量を備えることになり，これらのデバイスが膨大な量のデジタルデータを格納できるようになるであろう。このような環境においては，メモリ容量の観点からすれば，ビデオ，オーディオ，又は他のマルチメディアファイルのような大規模なファイルを格納することも，もはや禁止的ではなくなるであろう。
【０００４】
ますます多くの無線及び有線のデジタルデバイスがデジタル通信手段を備え，これらのデバイスの記憶容量が見かけ上無限になるデジタル通信環境においては，デジタル通信デバイスは数え切れないデジタルメディアファイルに遭遇し，それらを格納するであろう。デジタル通信デバイスそれ自体が，効率的かつユーザフレンドリな環境でこれらのデジタルファイルにアクセスし，格納し，管理し，更に伝送する手段を求めるであろう。
【０００５】
例えば，デジタル通信デバイスがデジタルメディアファイルを受信したとき，アプリケーションがそのファイルを容易にアクセス可能な記憶領域に自動的に置き，そのデバイスのユーザが将来そのメディアファイルを探すために多くの時間を費やすことなく，そのファイルを管理し，かつそのファイルにアクセスすることが効率的に行えるならば，ユーザは多くの恩恵を受けるであろう。
【０００６】
ほとんどのデジタルメディアファイルは，期間，時間枠，又はイベントによって容易に分類し，格納することができる。例えば，結婚式のビデオはその結婚式の日によって分類でき，パーティで撮った写真はそのパーティの日によって分類できる。これらは，メディアファイルをその作成日によって分類する例である。他の例として，メディアファイルが使われたか，又は提示された日，若しくは受信者がそのファイルを受信した日とメディアファイルとを関連付けることもできる。例えば，ビジネス上の会議のためのマルチメディアプレゼンテーションは，そのプレゼンテーションの日によって分類されるであろうし，友人からの個人的なテキストファイルは，受信日によって分類されるであろう。
【発明の開示】
【発明が解決しようとする課題】
【０００７】
したがって，メディアファイルを表示し，非凡なユーザ体験をもたらす方法で編成する，デジタル通信デバイスのためのメディアファイル管理アプリケーションを開発する必要がある。そのような管理アプリケーションは，典型的には小さなディスプレイを備える移動体デバイスで用いるために適応させれば，ユーザ体験をより良好にするであろう。更に，メディアファイル管理アプリケーションは，ユーザがメディアファイルの一部にアクセスしたり，そのメディアファイルに関連付けられたメタデータのような情報にアクセスしたりすることを容易にするのが望ましい。
【課題を解決するための手段】
【０００８】
本発明は，デジタル通信デバイスに実装されるメディアダイアリアプリケーションを提供する。そのメディアダイアリアプリケーションは，メディアファイルの象徴を表示するさまざまな方法をユーザに提供し，それでユーザは容易にメディアファイルを見付けることができ，その内容を視聴することができる。メディアファイルの象徴を表示する代替の方法を提供することによって，本発明のメディアダイアリアプリケーションは，典型的には表示範囲に制限のある小型のディスプレイを備える移動体デバイスに非常によく適応することができる。
【０００９】
本発明の一つの実施例においては，デジタルデバイス上のメディアファイルを表現するためのアプリケーションが定義される。そのアプリケーションは，計算機可読記憶媒体であって，該媒体に計算機可読プログラム命令が組み込まれた媒体を有する。その計算機可読プログラム命令は，デジタルメディアファイルにアクセスすることができ，時刻，期間，又はイベントとデジタルメディアファイルとを関連付けるメディア一覧を生成するための第１の命令と，そのメディア一覧内の予め定義された位置に近い期間と関連付けられたメディアファイルの象徴を，拡大したメディアファイルの象徴として生成する第２の命令とを有する。一つの実施例においては，第２の命令は，前記のメディア一覧内の予め定義された位置を，そのメディア一覧内の垂直中心線位置として定義する。第２の命令は更に，垂直中心線から期間が離れるほど，メディア一覧内のメディアファイルの象徴のサイズを次第に減少させる。更に，第２の命令は，予め定義された位置に近く，かつ前記の予め定義された位置内の点に近い期間と関連付けられたメディアファイルの象徴を，その位置の他の象徴と比べて拡大した象徴として前記メディア一覧の中に生成する。一つの実施例においては，第２の命令は，メディア一覧内の予め定義された位置を垂直中心線として定義し，位置内の点を中心点として定義する。
【００１０】
アプリケーションは更に，メディア一覧の中から選択されたメディアファイルの象徴を拡大したサイズの形式で表示し，その拡大した形式がメディア一覧内のすべての他のメディアファイルの象徴のサイズより大きいように表示する第３の命令を含む。ある実施例においては，選択されたメディアファイルの象徴は，垂直中心線に近い期間内に表示されている象徴に限られる。
【００１１】
本発明はまた，デジタルデバイス上のメディアファイルを表現する代替のアプリケーションによって定義される。そのアプリケーションは，計算機可読記憶媒体であって，その媒体に計算機可読プログラム命令が組み込まれた媒体を有する。その計算機可読プログラム命令は，メディアファイルの象徴によってデジタルメディアファイルにアクセスできるメディア一覧を生成するための第１の命令と，そのメディアファイルの象徴の上に重畳された属性アイコンを生成する第２の命令とを含む。第１の命令は更に，メディアファイルの象徴と期間とを関連付ける。第２の命令は更に，表現されているメディアファイルと関連付けられたメタデータ情報を表現する属性アイコンを提供する。アイコンによって表現されたメタデータ情報は，メディアファイルの種類と，メディアファイルの通信状態と，メディアファイルの内容と，メディアファイルのタイムスタンプと，メディアファイルのアクセス状態とを含むことができるが，それに限定されるものではない。
【００１２】
更に本発明は，デジタルデバイス上のメディアファイルを表現するためのまた他のアプリケーションによって定義される。そのアプリケーションは，計算機可読記憶媒体であって，その媒体に計算機可読プログラム命令が組み込まれた媒体を有する。その計算機可読プログラム命令は，メディアファイルの象徴によってデジタルメディアファイルにアクセスでき，そのメディアファイルの象徴と期間とを関連付けるメディア一覧を生成する第１の命令と，メディアファイルの象徴と関連付けられたメディアファイルの詳細画像を表示するためにメディアファイルの象徴を選択するための第２の命令とを含む。第２の命令が提供する詳細画像は，メディアファイルの象徴のズームインした部分であってもよく，それは象徴の中心点からのズームイン，又はユーザが選択した点からのズームインである。更に，第２の命令が提供する詳細画像は，メディアファイルの象徴のズームアウトした部分であってもよく，それは象徴の中心点からのズームアウト，又はユーザが選択した点からのズームアウトである。
【００１３】
本発明は更に，デジタルデバイス内のデジタルメディア管理のためのさまざまな方法において実施される。一つの方法は，デジタルメディアファイルと関連付けられたメタデータを有するデジタルメディアファイルを受信するステップと，そのメタデータに基づいてデジタルメディアファイルと期間とを関連付けるメディアダイアリアプリケーションに前記ファイルを送信するステップと，前記の期間に関連して前記のデジタルメディアファイルのメディアファイルの象徴を表示するメディア一覧を介して前記デジタルメディアファイルにユーザがアクセスでき，前記のメディアファイルの象徴は，前記メディア一覧内の，例えば垂直中心線のような予め定義された位置に対する前記メディアファイルと関連付けられた期間の近さに従ってサイズを変えるステップとを含む。本方法は更に，前記メディアファイルに関連付けられた期間が，前記メディア一覧内の前記の予め定義された位置に対して近いとき，前記のメディアファイルの象徴を拡大してもよく，また，前記メディアファイルに関連付けられた期間が，前記メディア一覧内の前記の予め定義された位置から離れるほど，前記のメディアファイルの象徴のサイズを減少させてもよい。
【００１４】
デジタルデバイス内のデジタルメディア管理のための更なる方法は，デジタルメディアファイルであって，該デジタルメディアファイルと関連付けられたメタデータを有するデジタルメディアファイルを受信するステップと，メディアダイアリアプリケーションに前記ファイルを送信するステップと，メディアファイルの象徴に重畳された属性アイコンを伴うデジタルメディアファイルの象徴を表示するメディア一覧を介して，ユーザがデジタルメディアファイルにアクセスすることができるようにするステップとを有する。本発明は，メディアダイアリアプリケーションのメディア一覧におけるメディアファイルの象徴を定義する更なる方法を含む。該方法は，デジタルメディアファイルであって，該デジタルメディアファイルと関連付けられたメタデータを有するデジタルメディアファイルを受信するステップと，前記メタデータに基づいて，前記デジタルメディアファイルと期間とを関連付けるメディアダイアリアプリケーションに前記ファイルを送信するステップと，前記の期間に関連して前記のデジタルメディアファイルのメディアファイルの象徴を表示するメディア一覧を介して前記デジタルメディアファイルにユーザがアクセスでき，前記のメディアファイルの象徴は，前記メディアファイルの象徴の詳細画像を表示するために選択できるステップとを含む。
【００１５】
本発明の更なる実施例は，メディアファイルにアクセスするための計算機可読プログラム命令を実行する処理ユニットを備えるデジタルデバイスによって定義される。その計算機可読プログラム命令は，デジタルメディアファイルにアクセスすることができ，時刻，期間，又はイベントとデジタルメディアファイルとを関連付けるメディア一覧を生成するための第１の命令と，そのメディア一覧内の予め定義された位置に近い期間と関連付けられたメディアファイルの象徴を，拡大したメディアファイルの象徴として生成する第２の命令とを有する。更にデジタルデバイスは，メディア一覧によってユーザがメディアファイルにアクセスできるように提示する，処理ユニットと通信するディスプレイを含む。代替として，計算機可読プログラム命令は，メディアファイルの象徴によってデジタルメディアファイルにアクセスできるメディア一覧を生成するための第１の命令と，そのメディアファイルの象徴の上に重畳された属性アイコンを生成する第２の命令とを含む。更に，計算機可読プログラム命令は，メディアファイルの象徴によってデジタルメディアファイルにアクセスできるメディア一覧を生成するための第１の命令と，メディアファイルの象徴と関連付けられたメディアファイルの詳細画像を表示するためのメディアファイルの象徴を選択するための第２の命令とを含む。
【００１６】
このように，本発明は，デジタルメディアファイルを表示し，非凡なユーザ体験をもたらす方法で編成する，デジタル通信デバイスのためのメディアダイアリアプリケーションを提供する。本発明は，典型的には小さなディスプレイを備える移動体デバイスで用いるために非常によく適応させることができるメディアダイアリアプリケーションを提供することによって，ユーザ体験をより良好にするであろう。更に，本発明のメディアファイル管理アプリケーションは，ユーザがメディアファイルの一部にアクセスしたり，そのメディアファイルに関連付けられたメタデータのような情報にアクセスしたりすることを容易にする。
【発明を実施するための最良の形態】
【００１７】
このように本発明を一般的な表現で説明してきたが，ここで付属の，必ずしも一定の縮尺ではない図面を参照する。
【００１８】
さて，以降本発明を付属の図面を参照してより詳細に説明するが，図面には本発明の実施例がすべてではなくいくつかが示されている。実際，これらの発明は多くの異なった形態で実施することができ，ここで明らかにされる実施例に限られると解釈するべきではなく，むしろこれらの実施例は，この開示が，適用される法的要求条件を満たすように提供されている。本願の全体を通して，同一の番号は同一の要素を示す。
【００１９】
本発明は，デジタル通信デバイスのような電子デバイスに実装される，メディアダイアリアプリケーション，メディアファイル表現アプリケーション，カレンダアプリケーション，電子メールアプリケーション，メッセージアプリケーション，又はその類似物のようなメディアファイル管理アプリケーションにおいてメディアアイテムを表現するさまざまな方法を提供する。メディアファイル管理アプリケーションは，メディアアイテムを時間枠及び／又は時間軸によって編成するデジタルメディアアイテム編成機能を実装する。メディアファイル管理アプリケーションは，連携するデジタル通信デバイスのディスプレイに時間枠，時刻，又はイベントに関連付けられたメディアアイテムの象徴を含むメディア一覧を表示させる。一般的な項目下に用語をまとめるために，本発明では，”期間”という用語を，時間枠，時刻，又はイベントを含むように定義する。メディアファイル管理アプリケーションは，それ自体，年，月，週，日，時間，特定時刻，すなわち期間，のような過去の瞬間と関連付けられたメディアアイテムのメディア一覧を提供することができる。代替として，メディアファイル管理アプリケーションは，メディアアイテムに関連したメタデータ情報のいかなる部分とも関連付けられるメディアアイテムのメディア一覧を提供する。
【００２０】
ファイル管理アプリケーションがメディアダイアリアプリケーションの形をとる実施例においては，メディアダイアリは，電子カレンダ計画機能の利点と，デジタルメディアアイテム管理機構と，デジタルメディアアイテム編成機能とを結合させることができる。電子カレンダ計画機能を提供する実施例においては，メディアダイアリアプリケーションは，書き込んだイベント及び注意書きを含むカレンダの画像を提供することができる。代替として，メディアダイアリアプリケーションは，典型的にはメディア一覧と関連して表示されるか，又はメディアとカレンダの結合された一覧である時間軸上の一覧を提供することができる。時間軸上の一覧は，メディアアイテムと，ある実施例においてはカレンダイベントと，注意書きとを，ここで時間バーと呼ぶ時間軸上の提示を提供する。
【００２１】
本発明のメディアファイル管理アプリケーションは，デスクトップ計算機又はポータブル計算機，セルラ電話機，パーソナルデジタルアシスタント（PDA），デジタルカメラ，デジタルカムコーダ，電子ブックデバイス，テレビ，デジタルオーディオプレイヤ，若しくはその類似物，のようなディスプレイを備える任意の電子デバイスに実装し，実行させることができる。更に，メディアファイル管理アプリケーションは，セットトップボックス（STB），パーソナルビデオレコーダ（PVR），デジタルビデオレコーダ（DVR），又はその類似物のような，外部ディスプレイに接続される電子デバイスに実装することもできる。ほとんどの実装において，メディアファイル管理アプリケーションを実行するデジタルデバイスは，無線通信，短距離無線ネットワーク，Ｂｌｕｅｔｏｏｔｈ（登録商標），無線ＬＡＮ（ＷＬＡＮ），無線周波数識別技術（ＲＦＩＤ），インターネットプロトコルデータキャスティング（ＩＰＤＣ），デジタルビデオ放送規格（ＤＶＢ），赤外データ協会規格（ＩｒＤＡ），インターネット，又はその類似物のような任意の種類の無線又は有線ネットワーク通信の能力を持つであろうが，デジタルデバイスがネットワークを介した通信に適応する必要はない。デジタルメディアファイルを内部的に取得できたり，例えばフラッシュ記憶デバイス，メモリースティック（登録商標），ビデオ記録テープ及びオーディオ記録テープ，ＣＤ，ＤＶＤ，リムーバブルハードウェアディスクデバイス（ＨＤＤ），及びその類似物のようなメモリデバイスによってメディアファイルを取得することができるデバイスもまた，適用対象である。
【００２２】
本発明の実施例によれば，メディアファイル管理アプリケーションは，計算機可読記憶媒体であって，その媒体に計算機可読プログラム命令を有する計算機可読記憶媒体に組み込まれる。その記憶媒体は，典型的にはフラッシュメモリ，ＨＤＤ，又はその類似物のようなメモリデバイスである。プログラム命令は，Ｃ＋＋，Ｊａｖａ（登録商標），又はその類似物のような標準の計算機プログラム言語で書くことができる。以下に説明するように処理ユニットによって実行されると，プログラム命令は，メディアファイル管理アプリケーションのさまざまな機能を以下に説明するように実現する。
【００２３】
本発明のメディアファイル管理アプリケーションは，典型的には次の方法で用いられる。メディアファイル管理アプリケーションを実行するデバイスが，デジタルカメラを備えたセルラ電話機のようにメディアファイルをキャプチャするか，又はメディアファイル管理アプリケーションを実装するデバイスがデジタル通信を介してメディアファイルを受信する。例えば次のとおり。
１）デジタルデバイスが，デジタルカメラを備えるセルラ電話機であるか，又はデジタル記録デバイスとして働く任意の他のデジタルデバイスのとき，デジタルメディアファイル（すなわち静止画）は，カメラ／電話機デバイスから他のデバイスにあるメディアダイアリに，セルラ電話機を介して直接伝送される。
２）デジタルデバイスが，独立したデジタルカメラであるか，又は任意の他のデジタル記録／格納／再生デバイスであって無線又は有線ネットワーク接続を備えるとき，デジタルメディアファイルはネットワークデバイスから他のデバイスにあるメディアファイル管理アプリケーションへ直接伝送される。
３）デジタルデバイスが，独立したデジタルカメラであるか，又は任意の他のデジタル記録／格納／再生デバイスであって短距離デジタル通信手段を備えるとき，デジタルメディアファイルは先ず，長距離デジタル通信デバイス（すなわちセルラ電話機，ＰＤＡ，ラップトップ，又はその類似物）に伝送され，次いでそのファイルはメディアファイル管理アプリケーションを備える他のデバイスに回送される。代替として，近傍においては，ファイル転送はメディアダイアリを備える他のデバイスに対して直接行われる。
４）メディアファイルは，物理メモリユニットを一つのデバイスから他のデバイスに移し変えることによって伝送される。
【００２４】
デジタル記録／格納／再生デバイスであって，そこからメディアファイルが伝送されるデジタルデバイス（すなわち，回送デバイス）は，それ自身，メディアファイル管理アプリケーションを含み，かつ実装してもよいし，メディアファイル管理アプリケーションを含まなくてもよい。回送デバイスがメディアファイル管理アプリケーションを含むとき，メディアファイルは，他のデバイスへ伝送する前に，メディアファイル管理のために処理することができる。
【００２５】
メディアファイルは典型的には関連するメタデータを有し，それは，タイムスタンプ，イベント名，ファイル名，位置情報，イベント又はメディアファイル内の人々，メディアファイル内のオブジェクト，ファイルタイプ，ファイルサイズ，気温，気象条件，優先度情報，又は任意の他の情報である。更に，メタデータは，メディアキャプチャデバイス，メディアダイアリデバイス，若しくはメディアキャプチャデバイス又はメディアダイアリデバイスと通信する任意の外部デバイスに実装されている任意のセンサからの情報を含んでもよい。メディアファイルのメタデータは，メディアファイルの生成時にデジタル記録デバイスによって自動的に入力してもよいし，又はメディアファイルの生成，受信又は転送などの際に手動で入力してもよい。更に，メディアファイルを生成するデバイスがメディアファイル管理アプリケーション又は他のカレンダ型のアプリケーションを実行するとき，メタデータはメディアファイル管理アプリケーション又は他のカレンダ型のアプリケーションに格納されているカレンダイベントと共に前から存在している可能性があり，ファイルが生成された瞬間にデジタルメディアファイルと関連付けられている可能性がある。
【００２６】
一旦メディアファイル管理アプリケーションがメディアファイルを受信すると，メディアファイルのメタデータは，カレンダイベントのメタデータ情報と結合及び／又は対応付けることができる。カレンダイベントのメタデータ情報は，メディアファイル管理アプリケーション内部のカレンダ／計画機能から得るか，又は外部のカレンダ／計画機能からインポートすることができる。結合及び／又は対応付けられたメタデータ情報は，メディアダイアリ内でメディアファイルと関連付けられ，記憶される。それで，ユーザがメディア一覧内のメディアファイルの象徴を介してメディアファイルにアクセスするとき，メタデータとカレンダイベント情報とが結合されてユーザに提示される。メディアファイルメタデータとカレンダイベントメタデータとの予め定められた数のメタデータフィールドを比較して類似であったとき，メタデータ情報が対応付けられる。対応付けられるメディアファイルメタデータ及びカレンダイベントメタデータは，例えばカレンダイベントメタデータのイベント時刻，メディアファイルメタデータのキャプチャ時刻，カレンダイベントメタデータのイベント名，及びメディアファイルメタデータのイベント名である。
【００２７】
メディアファイル管理アプリケーションを実装しているデバイスにメディアファイルが一旦キャプチャされるか，又は受信されると，ファイルは自動的にメディアファイル管理アプリケーションへ転送されるか，又はユーザがメディアファイル管理データベースにどのファイルを置くかを手動で選択する。メディアファイルがメディアファイル管理アプリケーションに転送されると，メディアファイルの象徴が生成され，関連付けられた期間，時間枠，又はイベントに関連してメディア一覧内に表示される。本発明の実施例によれば，メディアファイルが，ＭＭＳメッセージ又は電子メールのようなテキストとメディアアイテムとの双方を含むマルチメディアファイルであるとき，メディアファイル管理アプリケーションはそのファイル全体を格納してもよいし，又はアプリケーションがメディア一覧内にテキストとメディアの象徴とを別々に表示できるように，ファイルをテキストとメディアの部分とに分解するように構成してもよい。メディアファイルを分解する能力はまた，呼び出し音，背景画像，ゲーム，オーディオファイル，広告，名刺，及びその類似物などのファイルにも適用することができる。
【００２８】
図１は，メディアダイアリアプリケーションのようなメディアファイル管理アプリケーションによって表示されるメディア一覧１００の例を示す。メディア一覧は，メディアファイルの象徴（すなわち，サムネイル画像又はメディアファイルの絞り込んだ一部）によって，メディアダイアリのユーザがデジタル画像，デジタルビデオ，デジタルオーディオ，ゲーム，計算機ソフトウェア，デジタルテキストファイル，又はその類似物のようなデジタルメディアアイテムにアクセスできるようにする。メディア一覧それ自身は，典型的にはセルラ電話機，ＰＤＡ，デジタルカメラ，又はその類似物のような，メディアダイアリアプリケーションを実装するデバイスのディスプレイに表示される。メディア一覧はデジタルデバイスに関連して実装された計算機可読プログラム命令によって生成される。
【００２９】
図１に描かれたメディア一覧は，一般的なメディア一覧と考えられ，また提示画像とも呼ばれる。本発明は，メディア一覧内にメディアアイテムを象徴表示するためのさまざまな代替方法を提供する。メディアアイテムを象徴表示するための代替方法については，以下詳細に議論する。
【００３０】
メディアダイアリアプリケーションは，期間，時間枠，又はイベントのような任意のメタデータ情報に従ってメディアファイルを関連付ける。典型的には，デジタルファイルメタデータ内のタイムスタンプが，関連付けのリンクとして働く。図１において，メディアファイルが特定の日と関連付けられている。図１のメディア一覧それ自身は，列１１０を含み，それは特定の日に対応している。示された例では，ディスプレイ上に過去の４日に対応する４日分の列を見ることができる。代替として，メディア一覧は，１年，１月，１週，１日，１時間，又はその類似物のような任意の瞬間に対応することができる列１１０を含むこともできる。日の列は，メディアファイルに関連し，特定の日，イベント，及び／又は時間に，時間上で連なるメディアファイルの象徴１２０を含む。例えば，メディアファイルの象徴は，ユーザがビデオファイル，画像ファイル，オーディオファイル，テキストファイル，電子メール，ショートメッセージサービス（ＳＭＳ）メッセージ，マルチメディアメッセージサービス（ＭＭＳ）メッセージ，及びその類似物のようなデジタルファイルにアクセスでき，またユーザにファイルの内容に適応する情報を提供する象徴であってもよい。メディアファイルの象徴は，アイコン，サムネイル画像，テキスト文書又はメッセージのテキストの一部，又は任意の他の適当なメディアファイルの象徴であってよく，メディアファイルに対応するタイトルはあってもなくてもよい。メディアファイルは，典型的にはメディアファイル管理アプリケーションを実装するデバイス内に置かれるメモリユニットに格納されるか，又はアプリケーションを実装するデバイスと通信するメモリユニットに格納される。メディアファイルが，メディアファイル管理アプリケーションを実装するデバイス内に置かれるときは，メモリユニットはメディアファイルの管理操作命令を格納するのと同じエンティティであってもよい。
【００３１】
メディアファイルの象徴１２０の形式及びスタイルは，ユーザの好みによってもよいし，メディアファイル管理アプリケーションによって自動的に決定してもよい。更に，メディアファイルの象徴の提示及び分類も，ユーザの好みによってもよいし，メディアファイル管理アプリケーションによって自動的に決定してもよい。
【００３２】
更に，例えば特定のイベント，期間，又は任意の他のメタデータに基づいて，特定の合同グループを形成していたり，それに関連したりしているメディアファイルは，メディア一覧内の，共通のタイトル又は件名を持つ合同グループ１３０内に置くことができる。合同グループ内のメディアファイルは，合同グループ内にあることを示すために，境界線を引いたり，影を付けたり，色付けをしたり，又は他の方法で図形的に指示することができる。タイトル又は件名は，手動で入力してもよいし，若しくはカレンダイベント又は注意書きに関連するメタデータ，若しくは代替としてメディアファイルに関連する任意のメタデータ情報から継承してもよい。グループは，メディアファイル管理アプリケーションによって自動的に生成してもよいし，ユーザの要求によって生成してもよい。
【００３３】
カレンダ／計画機能とメディアダイアリを結合するメディアファイル管理アプリケーション，又は予備のカレンダ／計画機能アプリケーションと通信するメディアファイル管理アプリケーションにおいては，メディア一覧はまた，関連するメディアファイルを持たない過去のカレンダイベント又は注意書きを表示することもできる。そのような環境においては，メディアファイル管理アプリケーションは，アプリケーションのカレンダ部分からアプリケーションのメディアダイアリ部分へ，カレンダイベント及び注意書きを自動的にインポートするように構成することができる。この点に関して，過去の期間に関連付けられたカレンダイベント及び注意書きは，それらが関連付けられているメディアファイルとは関わりなく，メディア一覧表示内に表示される。代替として，メディアファイルのユーザは，特定のカレンダイベント及び注意書きが，ユーザが選んだようにメディア一覧表示内に表示されるようにメディアファイル管理アプリケーションを構成することができる。
【００３４】
メディアファイル管理アプリケーションは，典型的には他のネットワーク通信デバイスと容易にメディアファイルをやり取りできるようにする機能を備えるであろう。例えば，アプリケーションは電子メールアプリケーション，ＳＭＳアプリケーション，ＭＭＳアプリケーション又は他のファイル転送アプリケーションを呼び出すファイル送信機能（図１には示されていない）を含むことができる。メディアファイルは，典型的にはハイライト表示されて電子メール，ＳＭＳ又はＭＭＳに添付として付加されるか，又は別の方法で指定された通信デバイスへ伝送される。
【００３５】
典型的なメディア一覧において，メディア一覧１００内の日の列１１０の幅は，列内のメディアファイルの象徴の数，メディアファイルの象徴又はサムネイルのサイズ，若しくはメディアファイルの象徴を書式化するためのユーザの好み設定（ｐｒｅｆｅｒｅｎｃｅ）に基づいて動的及び／又は自動的に変更される。例えば，第１の日の列が第２の日の列の３倍のメディアファイルの象徴を取り込んでいるときは，第１の日の列は第２の日の列よりも３倍幅が広くなる。すなわち，列の幅は，それぞれの列内のメディアファイルの象徴の数に比例して割り当てられる。代替として，ユーザが日の列の幅を指示したり固定したりしてもよいし，サムネイル画像のサイズが日の列の幅を指示してもよい。更に，メディア一覧は，メディアファイルが関連付けられている日だけにメディア一覧を絞り込んでもよい。
【００３６】
列（すなわち期間）と関連付けられたメディアファイルの数に関しての列幅のばらつきは，メディア一覧が本願発明の”円筒形”又は”魚眼形”の一覧を取り入れているときは，典型的には該当しないことに注意すべきである。”円筒形”又は”魚眼形”の一覧において，列の幅は典型的にはその一覧内の列の位置に規定され，典型的には列の位置が垂直中心線の位置に対応する。更に，列幅は，メディアファイル管理アプリケーションが限られた表示範囲を持つ小型のディスプレイを備えた移動体デバイス上で実行されるときは，列（期間）と関連付けられたメディアファイルの数に関して，典型的には変化しない。そのような実施例において，ディスプレイはメディアファイルの象徴を表示するためにサブエリアに分割することができ，列幅は，ディスプレイのサイズ及び／又はサブエリアのサイズによって規定される。”円筒形”の一覧，”魚眼形”の一覧及びディスプレイのサブエリアに関しては，以下でより詳細に議論される。
【００３７】
本発明の実施例に従って，図２にメディアアイテムが”円筒形”のメディア一覧に提示されているメディア一覧を示す。”円筒形”のメディア一覧２００では，メディアファイルの象徴のサイズが，関連する期間，時間枠又はイベントの垂直中心線からの距離によって決定される。”円筒形”の一覧という用語は，メディアファイルの象徴が円筒形の容器の側面に貼り付けられているかのようなメディア一覧を指すために用いられる。この仮想的状況において，人がその円筒形の容器に遭遇したとすると，人の視野の中心にあるメディアファイルの象徴が最も大きく見え，人の視野の中心からメディアファイルの象徴が遠ざかるほど，そのメディアファイルの象徴のサイズが減少するように見えるであろう。
【００３８】
図２は，メディアファイルの象徴のサイズが関連付けられた期間，時間枠，又はイベント（すなわち図２の列）の垂直中心線からの距離によって決定される実施例を図示しているが，ここで開示される発明の思想の範囲内で，メディアファイルの象徴のサイズを，メディア一覧内の任意の予め定義された位置からの距離によって決定し，またその予め定義された位置からの距離に従って他の表示されているメディアファイルの象徴のサイズを変えることも可能であることが特記される。
【００３９】
”円筒形”のメディア一覧２００はまた，さまざまな期間を表示範囲に入れたり，表示範囲から出したりできるように水平にスクロール可能な時間軸２０２も提供する。それ故に，時間軸をスクロールさせるとディスプレイ内の期間が変更され，また表示されている期間におけるメディアファイルの象徴のサイズが変更される。スクロールは，マウスカーソル，ジョイスティック，左右キー，タッチパネル又はその類似物のような任意のユーザ入力手段により行うことができる。”円筒形”のメディア一覧はまた，時間軸上の期間をスクロールさせるために水平に動かすことができる時間ハンドル（図２には示されていない）も組み込むことができる。時間ハンドルの動きは，上記と同様にマウスカーソル，ジョイスティック，左右キー，タッチパネル又はその類似物のような任意のユーザ入力手段により行うことができる。アプリケーションはまた，メディアアイテムを，水平スクロールに加えて垂直スクロールもできるように構成することができる。更に，アプリケーションはまた，垂直実装ができるようにも構成でき，それによって時間軸が垂直方向に表示され，時間軸内のスクロールは垂直に行われ，水平にスクロールすると，表示されている期間に関連付けられた追加のメディアファイルの象徴が表示される。
【００４０】
図２に示された実施例において，一覧の仮想中心線２１０は，２００３年１２月１８日と関連付けられた列２２０と対応している。”円筒形”のメディア一覧は，この列の配下にあるメディアファイルの象徴を，一覧内の任意の他のメディアファイルの象徴よりも大きなサイズにする。したがって，メディアファイルの象徴２３０Ａ〜２３０Ｄは，一覧内で最大のメディアファイルの象徴である。メディアファイルの象徴は，関連する列が中心線位置から遠ざかるほど，サイズが減少し，それによって選択された２００３年１２月１８日よりも前又は後の日と関連付けられたメディアファイルを象徴する。この点で，列２４０及び２６０は，メディアファイルの象徴２３０Ａ〜２３０Ｄに比べてサイズが減少されたメディアファイルの象徴２５０Ａ〜２５０Ｈ及び２７０Ａ〜２７０Ｃを提供する。この思想は，中心線から最も遠くにあり，従って，一覧内で最小のメディアファイルの象徴である対応するメディアファイルの象徴２９０Ａ−２９０Ｂ及び３１０Ａ〜３１０Ｄを有する列２８０及び３００によって更に例示される。
【００４１】
図２の”円筒形”のメディア一覧は動的な性質を持っており，それでメディアダイアリのユーザは必要な列を中心線位置にもって来るために一覧を左から右へ，又は右から左へスクロールさせることができる。このようにして，メディアダイアリアプリケーションのユーザが一覧を右にスクロールさせると，列２４０が中心線位置に移動してその配下にあるメディアファイルの象徴が一覧内で最大のサイズになる。この例で，列２２０は中心線位置から中心列２４０の隣の位置へ移動し，その配下にあるメディアファイルの象徴は列２４０下に描かれるものより小さなサイズとなる。
【００４２】
図２の実施例において，メディアファイルの象徴２３０Ｂは列２２０内のカーソル位置を表すために太枠３２０で示されている。カーソルは，太枠内のメディアファイルの象徴を変更するために，ジョイスティック，矢印ボタン，又はその類似物を使って上下左右どの方向にも動かすことができる。太枠で囲まれたメディアファイルの象徴は，選択されたメディアファイルの象徴とも呼ばれ，例えばジョイスティック又は他のキーボード入力，又はタッチパネルなどを押すことによって，ポップアップ画像（図３参照）を表示するために活性化させられるか，又は全画面書式（図６Ｂ参照）に展開される。
【００４３】
図３に示すように，選択されたメディアファイルの象徴は，メディアファイルの象徴２３０Ｂの”ポップアップ”画像３４０を提供することができる。”ポップアップ”画像は，スクロールさせられたメディアファイルの象徴及び／又は選択されたメディアファイルの象徴をボップアップさせることができ，図１及び図２のような標準のメディア一覧において提供されるものよりも大きく表示させることができる。典型的には，”ポップアップ”は，中心線列，すなわち最大のメディアファイルの象徴を持つ列におけるメディアファイルの象徴と関連付けられる。しかし，”円筒形”のメディア一覧内又は任意の他のメディア一覧内にある任意のメディアファイルの象徴が，活性化されたメディアファイルの象徴の”ポップアップ”画像を提供するために活性化できるように，メディアダイアリアプリケーションを構成することもできる。”ポップアップ”画像は典型的には，メディアファイルの象徴を選択（例えば，カーソルを象徴の上に動かす）し，マウスタイプの活性化，ジョイスティックの活性化又はキーパッドの活性化を行うことによって提示される。
【００４４】
本発明の他の実施例に従って，図４にメディアアイテムが”魚眼形”のメディア一覧表示に提示されるメディア一覧を示す。”魚眼形”のメディア一覧表示４００は，メディアファイルの象徴のサイズが，関連付けられた期間，時間枠又はイベントの中心線からの距離と，関連付けられた期間，時間枠又はイベントの中心点とも呼ばれる垂直中心からの距離とによって決定されるようにする。”魚眼形”のメディア一覧表示は，図３の”円筒形”のメディア一覧に対する追加の次元を提供する。”魚眼形”のメディア一覧表示という用語は，メディアファイルの象徴が魚眼の表面に貼り付けられたかのようなメディア一覧を指すために用いられる。
【００４５】
例えば，図４に示された実施例においては，一覧の仮想中心線４１０が，２００３年１２月１８日に関連付けられた列４２０に対応している。”魚眼形”のメディア一覧表示は，この列配下のメディアファイルの象徴が，他の列と関連付けられた他のメディアファイルの象徴よりも大きなサイズになるようにする。メディアファイルの象徴は，関連付けられた列が中心線位置から遠ざかるほど小さいサイズになる。更に，”魚眼形”のメディア一覧表示は，列４２０内の中心点のメディアファイルの象徴が全体で最大サイズになるようにし，中心列４２０内のメディアファイルの象徴が，中心点のメディアファイルの象徴から上方，又は下方に遠ざかるほどサイズが減少するようにする。図４に関して，メディアファイルの象徴４３０Ａ〜４３０Ｄは，列４４０，４６０，４８０及び５００配下のメディアファイルの象徴よりも大きい。これは，メディアファイルの象徴４５０Ａ〜４５０Ｈ及び４７０Ａ〜４７０Ｃが，メディアファイルの象徴４３０Ａ〜４３０Ｄに比べて小さいサイズになり，更にメディアファイルの象徴４９０Ａ〜４９０Ｂ及び５１０Ａ〜５１０Ｄが，メディアファイルの象徴４５０Ａ〜４５０Ｈ及び４７０Ａ〜４７０Ｃに比べて小さいサイズになることを意味する。更に，中心列４２０内でメディアファイルの象徴４３０Ｃは列内の垂直中心点を覆い，それによって最大のメディアファイルの象徴となる。メディアファイルの象徴４３０Ｃを縁取る列４２０内のメディアファイルの象徴，特に４３０Ｂ及び４３０Ｄがメディアファイルの象徴４３０Ｃよりも小さく描かれている。更に，中心点のメディアファイルの象徴４３０Ｃから遠いメディアファイルの象徴４３０Ａが，中心列４２０内の最も小さな象徴として描かれている。
【００４６】
図４は，メディアファイルの象徴のサイズが，関連付けられた期間，時間枠，又はイベント（すなわち図２の列）の中心線からの距離及びその期間の中心点からの距離によって決定される実施例を示しているが，ここで開示される発明の思想の範囲内で，メディアファイルの象徴のサイズを，メディア一覧内の予め定義された位置からの距離，及びあらかじめ定義された位置の中心点からの距離によって決定することも可能である。更に，他の表示されたメディアファイルの象徴は，予め定義された位置からの距離，及び予め定義された距離の中心点からの距離に従ってサイズを変えることができる。
【００４７】
典型的には，図４のメディア一覧は動的な性質を持っており，それでメディアダイアリのユーザは必要な列を中心線位置にもって来るために一覧を水平に（すなわち，左から右へ，又は右から左へ）スクロールさせることができる。更に，図４のメディア一覧は，中心列内の必要なメディアファイルの象徴を中心点位置にもって来るために，垂直に（すなわち上下に）スクロールさせることができる。このようにして，メディアダイアリアプリケーションのユーザが一覧を右にスクロールさせると，列４４０が中心線位置に移動してその配下にあるメディアファイルの象徴が一覧内で最大のサイズになる。列４２０は中心線位置から中心列４４０の隣の位置へ移動し，その配下にあるメディアファイルの象徴は列４４０下に描かれるものより小さなサイズとなる。メディアダイアリアプリケーションのユーザが一覧を下にスクロールさせると，メディアファイルの象徴４３０Ｂが中心列４２０内の中心点位置を占め，全体の一覧内で最大のメディアファイルの象徴として表示される。
【００４８】
図２に関する説明と類似して，図４の”魚眼形”のメディア一覧表示は，図３に描かれているような”ポップアップ”画像の表示につながっている。”ポップアップ”機能は典型的には中心列のメディアファイルの象徴，特に中心点のメディアファイルの象徴と関連付けられる。しかし，メディアダイアリアプリケーションは，”ポップアップ”画像が，”魚眼形”のメディア一覧表示内の任意の象徴と関連付けられるように構成することもできる。
【００４９】
図５は，本発明の実施例に従うメディアファイル管理アプリケーションを実行するセルラ電話機のようなデジタルデバイス５００を示す。デジタルデバイスのディスプレイ５１０は，メディアファイルの象徴５３０Ａ〜５３０Ｄを図示しているメディア一覧５２０を示す。メディアファイルの象徴は，ディスプレイの各サブエリア５４０内に描かれている。本発明のメディアファイル管理アプリケーションは，メディア一覧を一般的には同じサイズのサブエリアで構成する。図示した実施例においては，メディア一覧は６個のサブエリアを表示するように構成され，６個のメディアファイルの象徴を表示することができる。代替の実施例においては，ディスプレイ内のサブエリアの数は異なってもよい。ディスプレイ内のサブエリアの数は，典型的にはディスプレイサイズとディスプレイ解像度とに基づいてアプリケーションによって固定されてもよいし，又は期間，瞬間又はイベントに現在関連付けられているメディアファイルの数に基づいて変更してもよい。更に，アプリケーションを，ユーザがディスプレイ内のサブエリアの数及び幾何学的構成を選択できるように構成してもよい。典型的には，ディスプレイサイズが保証する限り多くの識別可能なメディアファイルの象徴をディスプレイ上に表現することが目標である。
【００５０】
図５に示した実施例においては，メディア一覧５１０は一つの期間である日，２００３年１１月１８日を表示している。メディア一覧内の期間は，時間軸をスクロールすることによって，若しくは選択的な時間バー又は時間ハンドルを動かすことによって調整することができる。前述したように，メディアファイル管理アプリケーションは，ディスプレイを列当たり３個のサブエリアを持った６個のサブエリアに分割するように構成することができる。図示した実施例においては，すべてのサブエリアは表示された期間に関連している。代替の実施例においては，期間は一つの列のみに関連付けることができる。そのような実施例においては，メディア一覧はそれぞれ表示された列に関連付けられた，２個の期間を表示してもよい。より広いディスプレイを備えるデバイスにおいては，２個以上の期間を表示してもよく，期間は３個以上のサブエリアを含んでもよい。追加のメディアファイルが期間に関連付けられるとき，メディアファイルに関連付けられた追加のメディアファイルの象徴を表示するために，メディア一覧を垂直にスクロールさせてもよい。
【００５１】
本発明の他の実施例によれば，メディア一覧のメディアファイルの象徴は，典型的にはメディアファイルの象徴と共に表示される属性アイコンの形で，内容及び条件に関する情報を含むことができる。図６Ａ及び図６Ｂに，画像の上に重畳された属性アイコンを有するメディアファイルの象徴を含むメディア一覧の例を示す。この種のメディア一覧はまた，ここでプレゼンテーション画像とも呼ばれる。図６Ａは，メディアファイルの象徴６１０Ａ及び６１０Ｂを含むメディア一覧６００を示す。メディアファイルの象徴６１０Ａは，右下隅に重畳されたアイコン６３０を有し，メディアファイルの象徴６１０Ｂは同様に重畳されたアイコン６４０を有する。図６Ａにおけるアイコンの位置は，例示の目的だけであることに注意されたい。属性アイコンは，メディアファイルの象徴の上の任意の位置に重畳することができる。メディアファイルの象徴のズームインした画像６１０Ｂにおいては，属性アイコン６４０がより明確に識別できる。各アイコンは，メディアファイルに関連した内容又は条件に関する情報のようなメタデータ情報の任意のアイテムに対応する。図６Ａにおいて，フィルムアイコンはファイルタイプがビデオファイルであることを識別させ，上矢印アイコンはファイルが以前にメディアキャプチャデバイスから伝送されたことを識別させる。
【００５２】
図６Ｂは，メディアファイルの象徴６１０Ｃ，６１０Ｄ，６１０Ｅ及び６１０Ｆを含むメディア一覧６５０を示す。メディアファイルの象徴６１０Ｃは，右下隅に重畳されたアイコン６６０を有し，メディアファイルの象徴６１０Ｄ，６１０Ｅ及び６１０Ｆはそれぞれ同様に重畳されたアイコン６７０，６８０及び６９０を有する。上述したように，アイコンはメディアファイルの象徴の上の任意の位置に重畳することができる。メディアファイルの象徴６１０Ｃのズームインした画像においては，属性アイコン６６０がより明確に識別できる。図６Ｂにおいて，封筒アイコンはファイルタイプが電子メールメッセージであることを識別させ，下矢印アイコンは，ファイルが受信されたこと識別させる。プレゼンテーション画像と詳細画像の双方において，メディアダイアリアプリケーションは，ユーザがカーソルをアイコンの上に動かすことによって，アイコンが象徴しているものの定義などのアイコンに関連したテキスト情報を表示させることができるようにする。
【００５３】
図６Ａ及び図６Ｂに描かれたアイコンに加えて，他のアイコン，すなわちメディアファイルに関連したメタデータを識別させる手段もまた，メディアファイルの象徴の上に重畳させることができる。他のアイコンの例として，画像ファイル，ビデオファイル，電子メールメッセージ，ショートメッセージサービス（ＳＭＳ）メッセージ，マルチメディアメッセージサービス（ＭＭＳ）メッセージ，ゲーム，オーディオファイル，テキストファイル，注釈，メモ，ブックマーク，呼び出し音，ユーザインタフェースのスキン，ディスプレイアイコン及びその類似物のようなファイルタイプアイコンがある。更に，他のアイコンは，個人用ファイル，共有ファイル，秘密ファイルなどのような，メディアファイルの性質を象徴してもよい。更に他のアイコンは送信済みファイル，受信済みファイル，開封済みファイル，未開封ファイル，同期済みファイル，未同期ファイル，保存済みファイル，未保存ファイルのようなファイルの状態を象徴してもよい。本発明の一つの実施例においては，メディアダイアリアプリケーションのユーザは，自分のメディアダイアリにおいてメディアファイルの象徴に重畳させたい属性アイコンを選択することができる。代替として，メディアファイル管理アプリケーションが自動的に重畳するアイコンを決定してもよい。メディアファイルの象徴は，手動で及び／又は自動的に決定された１個以上のアイコンを有することができる。
【００５４】
更に，メディアファイルの象徴を全画像に拡大するとアイコンの配下の情報も拡大される。例えば，メディア一覧内のメディアファイルの象徴内では，内容及び条件に関する情報は典型的にはアイコンとして表示されるに止まる。しかし，全画像表示においては，表示された象徴は，内容及び／又は条件に関する情報のすべて又は一部を識別させる実際のテキスト情報を含むことができる。
【００５５】
本発明はまた，メディアファイルの象徴のための基礎を形成するメディアファイルの詳細画像を生成するためのアプリケーション，方法及びデジタルデバイスにおいて実施される。詳細画像は，典型的には実際のメディアファイルのズームインした画像又は周囲を切り取った画像若しくは実際のメディアファイルの中の画像である。代替として，詳細画像は，実際のメディアファイルのズームアウトした画像，又は実際のメディアファイルの中の画像であってもよい。更に，メディアファイルがテキストファイルのときは，詳細画像はテキストファイルのある部分，典型的には始めの部分を表示してもよい。詳細画像を含むメディアファイルの象徴を提供することによって，メディアファイルの内容をより識別し易くなる。メディアファイル管理アプリケーションが，特性的に限られた表示能力しかないディスプレイ画面を備える移動体デバイス上で実行されるとき，このことは特に真である。このような状況においては，メディアファイルの象徴が実際のメディアファイル，すなわち全体の画像又はテキストファイルから形成されており，またサムネイル画像としても参照されているとき，メディアファイルの内容に関して，特にディスプレイが複数のサブエリアに分割されているとき，メディアファイルの象徴は典型的にはユーザが識別できないものとなる。
【００５６】
図７の左側は，フルサイズのメディアファイル７００を示しており，図示された実施例においては，メディアファイル管理アプリケーションのメディア一覧７１０と共に表示されている。図７の右側は，セルラ電話機のようなデジタルデバイス７３０のディスプレイ７２０を示すものであり，ディスプレイが詳細画像７４０Ａ及び７４０Ｂの形式であるメディアファイルの象徴を含むメディア一覧７１０を表示している。本発明は，メディアファイルのフルサイズの画像，すなわち実際の画像から詳細画像を形成することができるメディアファイル管理アプリケーションを提供する。図７の右側において，詳細画像７４０Ａは実際の画像７００のズームインした部分又は周囲を切り取った部分である。詳細画像は，画像ファイルの中心点に対してズームインした画像又はズームアウトした画像であってもよいし，又は図７の右側に示すように識別可能な画像を含むように注目点の周囲を切り取ったものであってもよい。詳細画像はまた，本発明の実施例に従って，詳細画像の上に重畳された属性アイコン７６０を含んでもよい。
【００５７】
詳細画像７４０Ａは，図７の左側に示すメディアファイルのフルサイズの画像，すなわち実際の画像７００の表示を開始させるために，適当なマウス及びカーソル機能，ジョイスティック及びカーソル機能，キーパッド活性化，又はその類似物によって選択することができる。フルサイズのメディア一覧はメディアファイルと共に属性アイコン７６０を表示させ，タイムスタンプ７７０およびメディアファイルタイトル７８０のような追加のアイコン化されていないメタデータ情報を表示させる。タイトルおよびタイムスタンプは，例示のために示されている。他のメタデータタイプの属性データはまた，メディアファイルのフルサイズの画像，すなわち実際の画像と共に表示することができる。
【００５８】
画像ファイルに加えて，詳細画像は電子メールメッセージ，ＳＭＳメッセージ，ＭＭＳメッセージ又はその類似物のようなテキストファイルから形成することができる。そのような実施例においては，詳細画像は典型的にはテキスト列，典型的にはメッセージ／テキストファイルの最初の部分のテキスト列を含む。例えば，図６Ｂのメディアファイルの象徴６１０Ｃ，６２０Ｄ及び６３０Ｅを参照されたい。メディアファイル管理アプリケーションのユーザは，テキストファイル全体を提示するために，テキストファイルの詳細画像を選択することができる。
【００５９】
本発明の更なる実施例は，本発明の実施例に基づくメディアダイアリを実装するデジタルデバイスによって定義される。図８は，メディアダイアリを実装したデジタルデバイス８００のブロック図を示す。上述したように，デジタルデバイスは，典型的には他のデジタルデバイスと通信できる，例えば携帯電話機，ＰＤＡ，ラップトップ計算機又はその類似物を含む移動体端末のようなデジタルデバイスである。しかし，デジタルデバイスは本発明のメディアダイアリを表示できる，デジタルカメラ，デジタルビデオレコーダ，デジタルオーディオレコーダ又はその類似物のような任意の他のデバイスであってもよい。
【００６０】
デジタルデバイス８００は，メディアファイルにアクセスするための計算機可読プログラム命令を実行する，プロセッサ，アプリケーション特定集積回路，アナログ及び／又はデジタル回路又は任意の他の類似のデバイスのような処理ユニット８１０を含む。プログラム命令及びメディアファイルは，一般的にはメモリデバイス８２０に格納される。計算機可読プログラム命令は，デジタルメディアファイルにアクセスし，デジタルメディアファイルと期間とを関連付けるメディア一覧を生成するための第１の命令８３０と，メディア一覧の垂直中心線に近い期間に関連付けられたメディアファイルの象徴が，ディスプレイ内で最大のサイズのメディアファイルの象徴であるように，メディア一覧の中に生成するための第２の命令８４０とを有する。代替として，第１の命令８３０は，メディアファイルの象徴によって少なくとも一つのデジタルメディアファイルにアクセスできるメディア一覧を生成することができ，第２の命令８４０は，メディアファイルの象徴の上に重畳された属性アイコンを生成することができるものであってもよい。更に，第１の命令８３０は，メディアファイルの象徴によってデジタルメディアファイルにアクセスでき，かつメディアファイルの象徴を期間と関連付けるメディア一覧を生成し，第２の命令８４０は，メディアファイルの象徴と関連付けられたメディアファイルの詳細画像の表示のためにメディアファイルの象徴を選択するものであってもよい。
【００６１】
更に，デジタルデバイスは，処理ユニットと通信し，メディア一覧のための提示機構を提供するディスプレイ８５０を含むか，又は外部のディスプレイと通信する。
【００６２】
これに関して，図１〜８は本発明に従う方法，システム及びプログラム製品を示す。上述の機能は，計算機プログラム命令によって実装することができることを理解されたい。これらの計算機プログラム命令は，命令が各ブロックに規定された機能を実装するための手段を生成する計算機又は他のプログラム可能な装置で実行されるように，機械を作り出す計算機又は他のプログラム可能な装置にロードすることができる。これらの計算機プログラム命令はまた，計算機又は他のプログラム可能な装置に，計算機可読メモリに格納された命令が各ブロックに規定される機能を実装した命令手段を含む一品の製造物を作り出すような，特定の方法で機能するように指令することができる計算機可読メモリに格納することもできる。計算機プログラム命令はまた，計算機又は他のプログラム可能な装置上で実行される命令が，各ブロックに規定された機能を実装するためのステップを提供するように，計算機又は他のプログラム可能な装置上で計算機実装プロセスを作り出すように実行される一連の操作ステップを起こすように計算機又は他のプログラム可能な装置にロードすることもできる。
【００６３】
したがって，前述の開示は規定された機能を実行する手段の組合せ，規定された機能を実行するためのステップの組合せ，及び規定された機能を実行するためのプログラム命令手段をサポートする。上述の機能は，規定された機能又はステップを実行する特殊目的のハードウェアベースの計算機システム，又は特殊目的ハードウェアと計算機命令との組合せによって実装することができることも理解されたい。
【００６４】
説明した本発明の実施例は，ダイアリ計画機能と，日のような関連付けられた瞬間又は期間に従うメディアファイルの格納の双方を取り込んだ，デジタルデバイスのためのメディアファイル管理アプリケーションを提供する。メディアファイル管理アプリケーションはまた，プレゼンテーションアプリケーションも取り込むことができる。メディアファイル管理アプリケーションはまた，更に電子メールアプリケーション又は他のメッセージアプリケーションも取り込むことができる。メディアファイル管理アプリケーションは，自動的に受信したメディアファイルをアプリケーションに入力し，また自動的にメディアファイルと，日又はイベントのような特定の瞬間又は期間とを関連付けることができる。本発明は，メディアファイルをユーザが容易にアクセスすることができるように，非常によく検索可能にするアプリケーションを提供するためにメディア一覧と時間軸の画像とを結合するという点で，ユーザに効率を提供することができる。更に，メディアファイル管理アプリケーションはメディアファイルをユーザに容易に表現するための能力を提供する。
【００６５】
ここで明らかにされた本発明の多くの修正物及び他の実施例が当業者には想起されるが，それらには前述の記載および添付の図面において提示された教示の恩恵によって，本発明が適用される。したがって，本発明は，開示された特定の実施例に限定されるものではなく，修正物及び他の実施例は，本願請求項の範囲に含まれるものと意図されていることを理解されたい。ここで特定の用語が用いられているが，それらは一般的で説明の意味においてのみ用いられており，限定の目的のためではない。
【図面の簡単な説明】
【００６６】
【図１】メディアダイアリアプリケーションによって表示されたメディア一覧，すなわちメディアウィンドウの一般的な例示である。
【図２】本発明の実施例によるメディアファイルの象徴の円筒形一覧を組み込んだメディア一覧の例示である。
【図３】本発明の実施例によるメディアファイルの象徴の拡大したポップアップ画像を組み込んだメディア一覧の例示である。
【図４】本発明の実施例によるメディアファイルの象徴の魚眼形一覧を組み込んだメディア一覧の例示である。
【図５】本発明の実施例によるメディア一覧のサブエリアを定義したディスプレイを備えるデジタルデバイスの例示である。
【図６Ａ】本発明の実施例によるメディアファイルの象徴の上に重畳された属性アイコンを実装したメディア一覧の例示である。
【図６Ｂ】本発明の実施例によるメディアファイルの象徴の上に重畳された属性アイコンを実装したメディア一覧の例示である。
【図７】本発明の実施例による詳細画像，特にズームインした詳細画像を組み込んだメディア一覧の例示である。
【図８】本発明の実施例によるメディアダイアリアプリケーションを実行するデジタルデバイスのブロック図である。
【図１】
2007524168.tif 000003
【図２】
2007524168.tif 000004
【図３】
2007524168.tif 000005
【図４】
2007524168.tif 000006
【図５】
2007524168.tif 000007
【図６Ａ】
2007524168.tif 000008
【図６Ｂ】
2007524168.tif 000009
【図７】
2007524168.tif 000010
【図８】
2007524168.tif 000011
【国際調査報告】
2007524168.tif 000012
2007524168.tif 000013